(57)【要約】【課題】改良された、および／または、代替案のウォールペーパー特徴。【解決手段】本発明は、画像の一部分としての個別的な画像区域を有する画像に関し、この個別的な画像区域の少なくとも１つは、デバイスメニューの機能部として機能するために、決められたデバイスメニュー機能に適合するように構成されている。本発明は、さらに、デバイスのためのデバイスメニューを定義する方法にも関する。この方法は、画像中の個別的な画像区域を定義することと、デバイスメニューの機能部として機能するために、決められたデバイスメニュー機能に適合するように個別的な画像区域の少なくとも１つを定義することと、を含む。さらに、こうした画像を含むデバイスメニューと、こうしたデバイスメニューを備えるデバイスと、が開示されている。【選択図】図４
2011170860.tif 000002
【特許請求の範囲】
【請求項１】
画像の一部分としての個別的な画像区域を有する画像であって、前記個別的な画像区域の少なくとも１つは、デバイスメニューの機能部として機能するために、決められたデバイスメニュー機能に適合するように構成されている画像。
【請求項２】
予め決められた個数の個別的な画像区域がグリッドの形に配置されている、請求項１に記載の画像。
【請求項３】
前記個別的な画像区域は、予め決められたサイズと位置とコントラストと色分解との別々の個別的な画像区域に関して前記画像を分析することによって選択されるように構成されている、請求項１または請求項２に記載の画像。
【請求項４】
前記画像はディジタル撮像装置によって生成される、請求項１から請求項３までのいずれか一項に記載の画像。
【請求項５】
前記画像は写真である、請求項１から請求項４までのいずれか一項に記載の画像。
【請求項６】
前記画像は紙面画像の複写コピーである、請求項１から請求項３までのいずれか一項に記載の画像。
【請求項７】
前記機能部は前記デバイスメニューのアイコンである、請求項１から請求項６までのいずれか一項に記載の画像。
【請求項８】
請求項１から請求項７までのいずれか一項に記載の画像を含むデバイスメニュー。
【請求項９】
画像の一部分としての個別的な画像区域を有する画像を含むデバイスメニューであって、前記個別的な画像区域の少なくとも１つは、前記デバイスメニューの機能部として機能するために、決められたデバイスメニュー機能に適合するように構成されているデバイスメニュー。
【請求項１０】
画像の一部分としての個別的な画像区域を有する画像を含むデバイスメニューを備えるデバイスであって、前記個別的な画像区域の少なくとも１つは、前記デバイスメニューの機能部として機能するために、決められたデバイスメニュー機能に適合するように構成されているデバイス。
【請求項１１】
前記個別的な画像区域は、前記デバイスの構成インタフェースによって、決められたデバイスメニュー機能に適合するように設定されている、請求項１０に記載のデバイス。
【請求項１２】
共存するデバイスメニューの間をユーザが切り換えることを可能にするように構成されている複数の共存するデバイスメニューを備える、請求項１０または請求項１１に記載のデバイス。
【請求項１３】
通信デバイスを備える、請求項１０から請求項１２までのいずれか一項に記載のデバイス。
【請求項１４】
移動ステーション、ユーザ装置、または、パーソナルディジタルアシスタントの１つを備える、請求項１３に記載のデバイス。
【請求項１５】
パーソナルコンピュータを備える、請求項１０から請求項１３までのいずれか一項に記載のデバイス。
【請求項１６】
画像中の個別的な画像区域を定義することによって、および、前記デバイスメニューの機能部として機能するために、決められたデバイスメニュー機能に適合するように前記個別的な画像区域の少なくとも１つを定義することによって、前記デバイスメニューを定義するように構成されているデバイス。
【請求項１７】
前記少なくとも１つの個別的な画像区域の中の残りの個別的な画像区域が、前記画像の一部分として定義されないまま残されている、請求項１６に記載のデバイス。
【請求項１８】
前記決められたメニュー機能に適合するように定義されている前記少なくとも１つの個別的な画像区域は、単語、文字、ハイライト、および、前記画像の残りから際立って見えることの１つを使用して識別される、請求項１６または請求項１７に記載のデバイス。
【請求項１９】
通信ネットワーク内のサーバであって、
画像を受信し、
前記画像中の個別的な画像区域を定義し、
デバイスメニューの機能部として機能するために、決められたデバイスメニュー機能に適合するように、前記個別的な画像区域の少なくとも１つを定義し、
前記デバイスメニューがこのサーバから前記通信ネットワークを経由してデバイスにダウンロードされることを可能にする、
ように構成されているサーバ。
【請求項２０】
前記通信ネットワークは遠距離通信ネットワークである、請求項１９に記載のサーバ。
【請求項２１】
デバイスのためのデバイスメニューを定義する方法であって、
画像中の個別的な画像区域を定義することと、
前記デバイスメニューの機能部として機能するために、決められたデバイスメニュー機能に適合するように、前記個別的な画像区域の少なくとも１つを定義することと、
を含む方法。
【請求項２２】
前記画像中の前記個別的な画像区域を定義する前記段階は、グリッドの形に配置されている予め決められた個数の個別的な画像区域を定義することを含む、請求項２１に記載の方法。
【請求項２３】
前記画像中の前記個別的な画像区域を定義する前記段階は、予め決められたサイズと位置とコントラストと色分解との別々の個別的な画像区域に関して前記画像を分析することを含む、請求項２１または請求項２２に記載の方法。
【請求項２４】
前記画像中の前記個別的な画像区域を定義する前記段階は、
前記画像に関する分析マトリックスを生成する段階と、
前記個別的な画像区域の候補の個数に関する基準を少なくとも含む分析基準を設定する段階と、
前記画像のピクセルの輝度と色とに関して前記ピクセルを分析する段階と、
前記画像からピクセルグループを定義する段階と、
個別的な画像区域の候補を発見するために前記ピクセルグループを分析する段階と、
前記個別的な画像区域の候補の個数を決定する段階と、
前記個数が前記個別的な画像区域の候補の個数に関する前記基準に合致するかどうかを確認する段階と、
前記個別的な画像区域の候補の個数が前記個別的な画像区域の候補の個数に関する前記基準に合致しない場合に、前記分析基準を設定する前記段階における前記分析基準を調整して前記画像ピクセルを分析する段階を反復し、前記ピクセルグループを定義し、および、前記ピクセルグループを分析して前記個数が前記基準に合致するかどうかを確認する段階と、
前記個別的な画像区域の候補の場所を決定する段階と、
前記個別的な画像区域の候補の前記場所に基づいて前記個別的な画像区域を選択する段階と、
を含む、請求項２１から請求項２３までのいずれか一項に記載の方法。
【請求項２５】
さらに、前記画像を変更することを含む、請求項２１から請求項２４までのいずれか一項に記載の方法。
【請求項２６】
前記画像を変更する前記段階は、前記個別的な画像区域の候補の個数に関する前記基準に合致するように前記画像を変更することを含む、請求項２５に記載の方法。
【請求項２７】
前記デバイスメニューを定義するために前記サーバ上に前記画像を受け取ることと、前記デバイスメニューが前記サーバから前記デバイスにダウンロードされることを可能にすることと、をさらに含む、請求項２１から請求項２６までのいずれか一項に記載の方法。
【請求項２８】
前記デバイスメニューが前記サーバから前記デバイスにダウンロードされることを可能にする前記段階は、前記デバイスメニューが通信システムを経由してダウンロードされることを可能にすることを含む、請求項２７に記載の方法。
【請求項２９】
前記画像を前記デバイスに供給することと、前記デバイス内の少なくとも１つのコンピュータプログラムによって前記デバイスメニューを定義することとをさらに含む、請求項２１から請求項２６までのいずれか一項に記載の方法。
【請求項３０】
前記プログラムが計算手段上で実行されているときに、請求項２１から請求項２９までのいずれか一項に記載の前記段階のいずれかを行うためのプログラムコード手段を含むコンピュータプログラム。
【発明の詳細な説明】
【技術分野】
【０００１】
本発明は、デバイスのためのデバイスメニューを定義することに関する。さらに特に、本発明は、デバイスメニューを定義することにおいて画像を使用することに関する。
【背景技術】
【０００２】
ユーザ装置（ＵＥ）、移動ステーション（ＭＳ）、携帯電話、パーソナルディジタルアシスタント（ＰＤＡ）等のような通信デバイス、または、パーソナルコンピュータ（ＰＣ）のような他の端末装置、または、ディジタルカメラのような他のデバイスが、例えば、情報を取り扱うために、および／または、通信ネットワークにアクセスするために、使用されるだろう。ユーザは、電話をかけるかまたは電話を受けるためのタスク、ネットワークからデータを受け取るかまたはネットワークにデータを送るためのタスク、または、マルチメディアコンテンツを体験するかまたはマルチメディアサービスを他の形で使用するためのタスクのために、通信デバイスを使用するだろう。さらに、通信デバイスと他の適切なデバイスが、静止画像またはビデオ画像を取り込むために、音声を録音および出力するために、および、その他の目的のために使用されるだろう。
【０００３】
通信デバイスおよび他のデバイスの動作が、コントロールボタン、スクロールキー、音声命令等のような適切なユーザインタフェースによって制御されることが可能である。通信デバイスと他のデバイスが、そのデバイスのユーザのための画像および他の図形情報を表示するための表示装置を備えることも可能である。この表示装置は、例えばコントロールボタン等によって選択可能なメニュー項目を示すユーザインタフェースの一部分であってもよい。スピーカ手段が設けられてもよい。通信デバイスは、移動通信ネットワークの基地局に対して信号を無線で送受信するためのアンテナを含んでもよい。さらに、通信デバイスは、典型的には、プロセッサエンティティと記憶装置手段とを備えている。
【０００４】
ディジタルカメラが、移動ステーションおよびユーザ装置のような通信デバイスにおける一般的な特徴になってきている。いわゆる「ウォールペーパー」、すなわち、通信デバイスの表示装置上のバックグラウンド画像として画像等を定義する、通信デバイスを個人化することが可能だろう。ウォールペーパーは、そのデバイスのディジタルカメラによって、または、別のディジタル撮像デバイスによって撮影された画像であるだろう。このウォールペーパーは、さらに、線画または幾何学的パターンのような別のグラフィックファイルであってもよい。
【０００５】
ウォールペーパーの現在の具体例では、デバイスメニュー、すなわち、デバイスの選択可能な機能が表示装置上で非可視的である時にだけ、ウォールペーパーが可視的である。小さい画面サイズと解像度が、デバイスメニューをウォールペーパーの上に出現させることを不可能にするか、または、少なくとも無益もしくは困難にするだろう。
【０００６】
さらに、いわゆる「テーマ」を購入してダウンロードすることも可能だろう。テーマは、ウォールペーパーとアイコンとインタフェースカラー定義等のようなグラフィックスの集まりを含むだろう。しかし、類似したスタイルまたは外観を有する別々のウォールペーパーと別々のメニューアイコンとのようなテーマの様々な部分が、別々に機能する。
【発明の概要】
【発明が解決しようとする課題】
【０００７】
本発明は、改良された、および／または、代替案のウォールペーパー特徴を示唆する。
【課題を解決するための手段】
【０００８】
本発明の一側面によって、画像の一部分としての個別的な画像区域を含む画像が提供され、この個別的な画像区域の少なくとも１つが、デバイスメニューの機能部として機能するために、決められたデバイスメニュー機能に適合するように構成されている。
【０００９】
本発明の別の側面によって、画像の一部分としての個別的な画像区域を含む画像を備えるデバイスメニューが提供され、この個別的な画像区域の少なくとも１つが、デバイスメニューの機能部として機能するために、決められたデバイスメニュー機能に適合するように構成されている。
【００１０】
本発明の別の側面によって、画像の一部分としての個別的な画像区域を含む画像を備えるデバイスメニューを備えるデバイスメニューが提供され、この個別的な画像区域の少なくとも１つが、デバイスメニューの機能部として機能するために、決められたデバイスメニュー機能に適合するように構成されている。
【００１１】
本発明の別の側面によって、通信ネットワーク内のサーバが提供される。このサーバは、画像を受け取るように、この画像内の個別的な画像区域を定義するように、デバイスメニューの機能部として機能するために決められたデバイスメニュー機能に適合するように個別的な画像区域の少なくとも１つを定義するように、および、サーバから通信ネットワークを経由してデバイスにデバイスメニューがダウンロードされることを可能にするように構成されている。
【００１２】
本発明のさらに別の側面によって、デバイスのためのデバイスメニューを定義する方法が提供される。この方法は、この画像中の個別的な画像区域を定義することと、デバイスメニューの機能部として機能するために、決められたデバイスメニュー機能に適合するように個別的な画像区域の少なくとも１つを定義することとを含む。
【００１３】
以下では、本発明を、後述の具体例と添付図面とを参照しながら、単なる例示の形で、さらに詳細に説明する。
【図面の簡単な説明】
【００１４】
【図１】図１は、本発明の実施形態が実現されてよいデバイスの一例を示す。
【図２】図２は、本発明の実施形態を示す流れ図を示す。
【図３ａ】図３ａから図３ｆを含む図３は、本発明の実施形態を示す。
【図３ｂ】図３ａから図３ｆを含む図３は、本発明の実施形態を示す。
【図３ｃ】図３ａから図３ｆを含む図３は、本発明の実施形態を示す。
【図３ｄ】図３ａから図３ｆを含む図３は、本発明の実施形態を示す。
【図３ｅ】図３ａから図３ｆを含む図３は、本発明の実施形態を示す。
【図３ｆ】図３ａから図３ｆを含む図３は、本発明の実施形態を示す。
【図４】図４は、本発明の別の実施形態を示す。
【発明を実施するための形態】
【００１５】
本発明の実施形態では、画像の個別的な画像区域（distinct image area）（ＤＩＡ）が選択されてデバイスメニューの機能部（例えばアイコン）にされる機構が作られる。画像は、デバイスメニューとしてまたはデバイスメニューの一部分として機能できる機能的なバックグラウンド（例えばウォールペーパー）として定義されるだろう。
【００１６】
典型的には、デバイスメニューは、アイコンによってデバイス表示装置上に表示されるだろう。このアイコンがグリッドの形に配置されることが有利だろう。本発明の実施形態では、分析アルゴリズムが、好ましくは画像の中央に区域を発見しようと探し求め、この場合に十分な数の個別的な画像区域がグリッドの形に配置されている。
【００１７】
一実施形態では、通信デバイス内に備えられているディジタルカメラによって撮影された画像、または、何らかの他のディジタル撮像デバイスによって撮影された画像が、サーバにアップロードされるだろう。あるいは、人工の画像、または、手作業で作られた画像（例えば、紙面上の画像の複写コピー）が使用されるだろう。この画像は、十分なサイズと位置とコントラストと色分解との別々の個別的な画像区域に関して、サーバ内で分析されるだろう。
【００１８】
デバイスメニューを定義するために、個別的な画像区域（ＤＩＰ）がデバイスメニューの機能部として定義される。一実施形態では、ユーザは、デバイスの構成インタフェースによってそのデバイス内のデバイスメニューを構成するだろう。ＤＩＡは、「保存する」、「開く」等のような特定のデバイスメニュー機能に適合するように定義されるだろう。ＤＩＡは、さらに、特定の連続したデバイスメニュー機能に適合するように定義されるだろう。例えば、第１のＤＩＡの第１の選択は、デバイスメニューから「メッセージ」を選択するだろう。この場合には、メッセージメニューのサブメニューの一部分である同じＤＩＡを再選択することが、メッセージメニューから「メッセージを書く」等を選択するだろう。各々のＤＩＡはメニュー機能に適合するように定義されてよく、または、個別的な画像区域の一部分だけがメニュー機能に適合するように定義され、かつ、その他の部分が、後でメニュー機能に適合するように定義されることが可能な画像の一部分として維持される。
【００１９】
一実施形態では、ユーザは、ＤＩＡベースのメニュー内で移動するために、そのデバイスのスクロールキー、コントロールボタン、または、他の操作手段を使用するだろう。個別的な画像区域の場所が、そのデバイス内の画像またはデバイスメニューをダウンロードまたは定義する時に、そのデバイスに通信されることが可能である。その次に、そのデバイスは、ベクトルベースのハイライトによって個別的な画像区域をハイライトするだろう。一実施形態では、デバイスは、デバイス内に共存する複数のデバイスメニューを有するだろう。ユーザは、使用されるべきデバイスメニューを選択することと、デバイスメニューの相互間で切り換えることを可能にされるだろう。デバイスは、例えばそのデバイスの構成インタフェースによって、選択されるだろう。
【００２０】
一実施形態では、ユーザは、幾つかの個別的な画像区域の候補の個数に関する基準、または、幾つかの事前定義された機能に関する基準を定義するだろう。例えば、個別的な画像区域の候補の個数に関する基準が５つに設定される場合には、サーバソフトウェアまたはハンドセットソフトウェアが、提供されたウォールペーパーのような画像から最適の５つの個別的な画像区域を選択するだろう。この最適の５つの個別的な画像区域は、例えば図３を参照して説明される分析アルゴリズムを使用して、選択されるだろう。
【００２１】
一実施形態では、サーバソフトウェアまたはハンドセットソフトウェアが、提供された画像から複数の適切な個別的な画像区域を選択するだろう。一実施形態では、メニュー機能を起動させるために使用されるのに適しているすべての個別的な画像区域が、選択される。例えば、そのソフトウェアは、画像から１０個の適切な個別的な画像区域を発見する。この画像は通信デバイスに送られてよく、および、この通信デバイスのユーザは、メニュー機能を起動させるために、このユーザがどれだけ多くのその適切な個別的な画像区域を使用することを望むかを定義するだろう。ユーザがメニュー機能を起動させるために５つの個別的な画像区域をアイコンとして使用することを望む場合には、そのユーザは通信デバイス内でこれらを定義することが可能である。これらの５つのアイコンは、例えば、単語または文字によって、または、その個別的な画像区域をハイライトすることによって、識別されるだろう。未使用の適切な個別的な画像区域が、ウォールペーパーの一部分として依然として残存し、および、後でアイコンとして定義されるだろう。
【００２２】
上述したように、アイコンとして定義されている個別的な画像区域は、そのアイコンを起動させることによって何のメニュー機能が起動されるかがより容易またはより明瞭であるように識別されるだろう。一実施形態では、アイコンは、アイコンとして定義されている個別的な画像区域の隣りまたは上においてその画像に追加されている単語または文字によって識別されるだろう。単語または文字を追加することが、サーバ内または通信デバイス内で行われるだろう。
【００２３】
サーバは、さらに、例えば、個別的な画像区域の候補の個数に関する基準が満たされるように、画像を変更するだろう。変更は、例えば、適切な個別的な画像区域を再配置すること、または、選択された区域をサイズおよび／またはコントラストに関して変更すること等を含むだろう。
【００２４】
一実施形態では、画像は、個別的な画像区域すなわちアイコンがハイライトされるように、または、その画像の残り部分から際立って見えるように強調されるだろう。このことが、起動される時にメニュー機能を起動する画像区域すなわちアイコンと、メニュー機能を全く起動させない画像全体によって含まれている画像とを、ユーザが容易に識別することを可能にするだろう。
【００２５】
グリッドの大きさは、例えば、バックグラウンドがそのために使用されることが意図されているデバイスのタイプに基づいて定義されるだろう。グリッドのサイズは、例えば、２×２（すなわち、水平方向に２つの個別的な画像区域を有し、かつ、垂直方向に２つの個別的な画像区域を有するグリッド）、２×３、２×４、３×３等であるだろう。
【００２６】
結果的に得られるテーマグリッドファイル（theme grid file）（ＴＧＦ）が、通信デバイスのユーザがＴＧＦをそのデバイスにダウンロードできる場所に保存されるだろう。デバイスメニューがサーバ内またはそのデバイス内のＴＧＦから定義されるだろう。
【００２７】
適切な個別的な画像区域が選択され終わると、その選択された区域を含む画像、すなわち、ＴＧＦが、通信デバイス、または、パーソナルコンピュータのような別の適したターゲットデバイスの中にダウンロードされるだろう。ＴＧＦまたはデバイスメニューは、例えば移動通信システムといった遠距離通信システムのような通信システムを経由して、ターゲットデバイスにサーバからダウンロードされるだろう。この通信システムは、さらに、複数の互いに協働する通信システム、例えば、ジェネラルパケットラジオシステム（general packet radio system）（ＧＰＲＳ）のような遠距離通信システム、および、インターネットプロトコル（ＩＰ）システムのようなデータ通信システムを含むだろう。ＴＧＦは、ターゲットデバイス内のデバイスメニューを定義するために使用されるだろう。一実施形態では、デバイスメニューは、分析を行うサーバ内で、または、別個のネットワークエンティティ内ですでに定義されている。
【００２８】
一実施形態では、画像は通信デバイスまたは他のターゲットデバイス内で直接的に分析されるだろう。デバイスに基づく具体例が、個別的な画像区域に関してデバイスの記憶装置内の画像を分析することが可能であるネイティブ言語アプリケーションまたはｊａｖａ言語アプリケーションであってよい。結果的に得られるＴＧＦはデバイスの記憶装置内に記憶されるだろう。
【００２９】
本発明の実施形態は、適切なコンピュータプログラムによって、サーバ内および／またはターゲットデバイス内において実行されるだろう。
【００３０】
図１は、本発明の実施形態が具体化される通信デバイス１０の一例を示す。この通信デバイス１０は、このデバイスのケーシング内に組み込まれている無線受信および送信手段を備える。この通信デバイス１０は、表示装置１２とコントロールボタン１４とを備えている。処理手段１６と記憶手段１８も示されている。
【００３１】
図１は、移動ステーションの形態を有する１つの例示的な通信デバイスを示すに過ぎない。この通信デバイスのタイプが図１に示されているものとは大きく異なってよいということが理解されるだろう。無線受信および送信手段は、その通信デバイスのケーシングから延びる可視的なアンテナの形態であってもよい。コントロールボタンは、例えばデバイスのタイプとサイズと用途とに応じて、適切な形で配置されてよい。この通信デバイスは、例えばＰＤＡのような任意の他の適切な通信デバイスであってよい。本発明の実施形態が具体化できるターゲットデバイスは、さらに、受信および送信手段が含まれない場合でさえ、パーソナルコンピュータのような選択可能なメニューを備える別の適切なデバイスであってもよい。
【００３２】
図２と図３は、本発明の例示的な実施形態の諸ステップを示す。図２は、この例示的な実施形態の流れ図を示す。図３は、この例示的な実施形態の諸ステップを図式的に示す。図２と図３の両方では、同じ照合番号がこの例示的な実施形態の同じステップに関して使用されている。
【００３３】
ステップ１００では、分析マトリックスが画像に関して生成される。図３ａは、分析マトリックスの生成の一例を示す。分析マトリックスを生成する前に、サイズ、輝度および／または画像の色の深みに関する画像の分析が必要とされるだろう。マトリックスのセルのサイズが、様々なタイプの画像に関して所望の解像度を得るために調整されるだろう。
【００３４】
ステップ１１０では、分析基準が設定され、この分析基準はＤＩＡ候補の個数に関する基準を少なくとも含む。この分析基準は、さらに、非限定的に、ＤＩＡ候補の最小サイズおよび最小サイズと、ピクセルグループの輝度および色（Ｂ＆Ｃ）に関する限界等を含むだろう。
【００３５】
ステップ１２０では、画像ピクセルがその輝度および色に関して分析される。
【００３６】
ステップ１３０では、ピクセルグループがその画像から定義される。図３ｂは、ピクセルグループの定義の一例を示す。定義されるべきピクセルグループの量は、それぞれの分析基準に依存するだろう。ピクセルグループは、Ｂ＆Ｃの変動が限界を下回っている互いに隣接するピクセルの比較的均一な区域であることが好ましい。
【００３７】
ステップ１４０では、ステップ１３０で定義されたピクセルグループが、ＤＩＡ候補を発見するために分析される。ＤＩＡ候補は、分析基準で定義されている最小サイズよりも大きいピクセルグループであるだろう。一実施形態では、この最小サイズは、例えば限界（DIA_SIZE_LIMIT_MIN）を上回る、全画像区域のパーセンテージとして定義されるだろう。ＤＩＡ候補は、さらに、分析基準で定義されている最大サイズよりも小さいピクセルグループでもあるだろう。一実施形態では、この最大サイズは、例えば限界（DIA_SIZE_LIMIT_MAX）を下回る、全画像区域のパーセンテージとして定義されるだろう。例えば、図３ｃの実施形態では、ピクセルグループ１−５が合格であると定義され、および、ピクセルグループ６が過剰に小さいと定義されるだろう。
【００３８】
ステップ１５０では、ＤＩＡ候補の個数が決定される。図３ｃの実施形態では、ＤＩＡ区域の候補の個数のターゲットが４つのＤＩＡ候補に設定されるだろう。
【００３９】
ステップ１６０では、この個数が、ステップ１１０で設定されたＤＩＡ候補の個数に関する基準に合致するかどうかが確認される。好ましくは、ＤＩＡ候補の予め決められた個数よりも多くが存在しなければならない。予め決められたデフォルトの個数は４つ、６つ、または、９つだろう。この予め決められた個数は、例えばユーザによって、カスタマイズ可能だろう。さらに、各々の方向または特定の方向において予め決められた個数のＤＩＡ候補が存在しなければならないということも定義できる。図３ｃの実施形態では、５つのピクセルグループが合格し、従って、この個数はＤＩＡ候補の個数に関する基準に合致する。
【００４０】
ＤＩＡ候補の個数が予め決められた基準に合致しないことが発見される場合には、例えば、より大きい変動のために、分析基準が再調整されるだろう。したがって、この方法はステップ１１０に戻り、ステップ１２０−１５０が繰り返されるだろう。分析基準を再調整することを含む最大で２つのループが行われることが好ましい。２つのループの後で、ＤＩＡ候補の個数が予め決められた基準に合致しないことが発見される場合には、提案された画像は、テーマグリッドファイルを生成するために使用可能であるための必要条件を満たさないだろう。
【００４１】
ＤＩＡ候補の個数が予め決められた基準に合致することが発見される場合には、この方法はステップ１７０に進むだろう。
【００４２】
ステップ１７０では、ＤＩＡ候補の場所が求められる。図３ｄは、ＤＩＡ候補の場所を求めることの一例を示す。ＤＩＡ場所グリッドがＤＩＡ候補上に形成されるだろう。このグリッド内の最適の位置が、図３にａ、ｂ、ｃ、ｄで示されている、個別的な画像区域に関するターゲットとして設定されるだろう。各々のＤＩＡ候補に関して、グリッド内の最適位置からのサイズ重み付け距離（size-weighted distance）が計算されるだろう。
【００４３】
ステップ１８０では、個別的な画像区域が、ＤＩＡ候補の場所に基づいてＤＩＡ候補から選択される。最小のサイズ重み付け距離を有するＤＩＡ候補が、個別的な画像区域として選択されるだろう。したがって、図３ｄの実施形態では、ＤＩＡ候補１、２、４、５が選択されることが可能である。残りのＤＩＡ候補は排除されるだろう。したがって、図３ｄの実施形態では、ＤＩＡ候補３、６が排除されることが可能である。
【００４４】
グリッド上の最適位置からの場所が、選択されたばかりの各々のＤＩＡに関して分析されるだろう。実際場所と最適場所との間の分散の合計が予め決められた限界よりも小さい場合には、この方法はステップ１９０に進むだろう。この分散の合計が予め決められた限界よりも小さくはない場合には、ステップ１００−１７０で定義された分析が、好ましくは制限された区域だけに関して、繰り返されるだろう。この分析の巡回からの結果が組み合わされる。２回または３回のような限られた回数だけの分析ループが行われることが好ましい。
【００４５】
ステップ１９０では、分析結果が示されるだろう。この分析結果は、例えば、ステップ１００−１８０で選択され終わった個別的な画像区域をハイライトする画像上の透明フィルムを描画することによって、示されるだろう。図３ｅには分析結果の一例が示されている。上述したように、分析がサーバ内で行われた場合には、分析結果、すなわち、テーマグリッドファイル（ＴＧＦ）が、サーバ記憶装置内に記憶されるだろう。分析がターゲットデバイス内で行われた場合には、ＴＧＦはそのデバイスの記憶装置内に記憶されるだろう。
【００４６】
ステップ２００では、個別的な画像区域が、デバイスメニューの機能部として機能するために、決められたデバイスメニュー機能に適合するように定義される。図３ｆは、デバイスメニューの機能部としての個別的な画像区域２０、２２を有する通信デバイス内のデバイスメニューの一例を示す。
【００４７】
他の画像分析方法も、個別的な画像区域を選択するために使用されてよい。
【００４８】
図４は、画像が人工画像であり、例えば、本からのページ等のような紙面画像の複写コピーである、実施形態の一例を示す。区別された動物図像４０、４２、４４、４６のような個別的な画像区域が、上述の通りに画像から選択されるだろう。この場合に、各々の動物４０、４２、４４、４６は、選択されたメニュー機能に関係するアイコンとして定義されるだろう。必要に応じて、アイコンが、例えば文字によって、さらに識別されてもよい。
【００４９】
本発明の実施形態が、選択された画像の中の可視的な選択された個別的な画像区域が機能可能にされることを可能にするだろう。この機能可能な個別的な画像区域が、通信デバイスまたは他のターゲットデバイスの機能を制御するためのデバイスメニューのアイコンとして使用されるだろう。
【００５０】
バックグラウンド画像またはウォールペーパーがデバイスにおける機能的特徴になるので、本発明の実施形態は、バックグラウンド画像またはウォールペーパーの価値を増大させるだろう。この特徴は、デバイスの特定の機能がバックグラウンド画像中のどこに位置しているかをユーザが思い出すことを容易にするだろう。ＴＧＦを作成するための手動の方法が面倒であり得るので、サーバまたは通信デバイスにおける自動画像分析が好ましい。
【００５１】
本発明が特定の実施形態との関連において説明されてきたが、添付されている特許請求項によって定義されている本発明の範囲と着想とから逸脱することなしに、様々な変更が可能である。本発明の実施形態が、主として移動ステーションおよびユーザ装置のような移動通信デバイスとの関係において説明されてきたが、本発明の実施形態は、表示装置上の選択可能な場所を必要とする選択可能なメニューまたは別のアプリケーションを有することができる他のタイプのデバイスに適用可能であるということが理解されなければならない。
【図１】
2011170860.tif 000003
【図２】
2011170860.tif 000004
【図３ａ】
2011170860.tif 000005
【図３ｂ】
2011170860.tif 000006
【図３ｃ】
2011170860.tif 000007
【図３ｄ】
2011170860.tif 000008
【図３ｅ】
2011170860.tif 000009
【図３ｆ】
2011170860.tif 000010
【図４】
2011170860.tif 000011
【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
画像ファイルの画像を表示し、該表示された画像の自動画像分析によって、前記表示された画像中に個別画像区域を規定するように構成したプロセッサ及びメモリ手段を備えるデバイスであって、
該自動画像分析は、
比較的均一に見えるピクセルのピクセルグループを規定するステップと、
前記ピクセルグループを個別画像区域として規定するステップと、
前記デバイスの特定の機能により前記画像の個別画像区域の少なくとも1つの関連付けを可能にするステップであって、前記特定の機能を実行するコマンドが、関連個別画像区域の選択により入力することができる、ステップと、
を含む、デバイス。
【請求項２】
前記少なくとも１つの個別画像区域の中の残りの個別画像区域が、前記画像の一部分として規定されないまま残されている、請求項１に記載のデバイス。
【請求項３】
前記決められたメニュー機能に適合するように規定されている前記少なくとも１つの個別画像区域は、単語、文字、ハイライト、及び、前記画像の残りから際立って見えるもの、のうち１つを使用して識別される、請求項１または請求項２に記載のデバイス。
【請求項４】
所定個数の個別画像区域がグリッド状に配置される、請求項１に記載のデバイス。
【請求項５】
前記個別画像区域は、所定のサイズと、位置と、コントラストと、色と、を有する別々の個別画像区域を求めて前記表示された画像を分析することによって選択されるように構成される、請求項１に記載のデバイス。
【請求項６】
前記表示された画像はデジタル撮像装置によって生成される、請求項１に記載のデバイス。
【請求項７】
前記表示された画像は写真である、請求項１に記載のデバイス。
【請求項８】
前記表示された画像は紙面画像の複写コピーである、請求項１に記載のデバイス。
【請求項９】
前記個別画像区域は、前記デバイスの構成インタフェースによって、決められたデバイスメニュー機能に適合するように設定される、請求項１に記載のデバイス。
【請求項１０】
複数の共存するデバイスメニューを備え、該複数の共存するデバイスメニューをユーザが切り換えられるように構成する請求項１または請求項９に記載のデバイス。
【請求項１１】
通信デバイスを備える請求項１に記載のデバイス。
【請求項１２】
移動ステーション、ユーザ装置、またはパーソナルディジタルアシスタントのうち１つを備える請求項６に記載のデバイス。
【請求項１３】
パーソナルコンピュータを備える請求項１に記載のデバイス。
【請求項１４】
受信画像の自動画像分析によって、通信デバイスに表示する前記受信画像の個別画像区域を規定し、
前記個別画像区域の少なくとも１つに関して前記デバイスの機能を制御するように構成されたデバイスメニュー機能を決定し、
規定された個別画像区域及び関連するデバイスメニュー機能を含むデバイスメニューを通信ネットワークを介して前記通信デバイスへ送信するように決定する、ように構成したプロセッサ及びメモリ手段を備えるサーバ。
【請求項１５】
前記通信ネットワークは、電気通信ネットワークである、請求項１４に記載のサーバ。
【請求項１６】
デバイスにおいてメニューを規定する方法であって、
該デバイスのグラフィカル・ユーザ・インターフェースのディスプレイ上に画像ファイルの画像を表示するステップと、
画像の自動画像分析によって、前記表示された画像の個別画像区域を規定するステップであって、前記自動画像分析は、比較的均一に見えるピクセルのピクセルグループを規定するステップと、前記ピクセルグループを個別画像区域として規定するステップと、を含む、ステップと、
ユーザ入力に応じて、複数の前記個別画像区域それぞれのデバイスメニュー機能を関連付けるステップであって、個別画像区域に関連する前記デバイスメニュー機能の選択は、
前記通信デバイスの機能を制御する、ステップと、
を含む方法。
【請求項１７】
前記画像中に前記個別画像区域を規定する前記ステップは、グリッド状に配置されている所定個数の個別画像区域を規定するステップを含む、請求項１６に記載の方法。
【請求項１８】
前記画像中に前記個別画像区域を規定する前記ステップは、所定のサイズと、位置と、コントラストと、色と、を有する別々の個別画像区域を求めて前記画像を分析するステップを含む、請求項１６に記載の方法。
【請求項１９】
前記画像中に前記個別画像区域を規定する前記ステップは、
前記画像に関する分析マトリックスを生成するステップと、
前記個別画像区域の候補の個数に関する基準を少なくとも含む分析基準を設定するステップと、
前記画像のピクセルの輝度と色とに関して前記ピクセルを分析するステップと、
前記画像からピクセルグループを規定するステップと、
個別画像区域の候補を発見するために前記ピクセルグループを分析するステップと、
前記個別画像区域の候補の個数を決定するステップと、
前記個数が前記個別画像区域の候補の個数に関する前記基準に合致するかどうかを確認するステップと、
前記個別画像区域の候補の個数が前記個別画像区域の候補の個数に関する前記基準に合致しない場合に、前記分析基準を設定する前記ステップにおける前記分析基準を調整して前記画像ピクセルを分析するステップを反復し、前記ピクセルグループを規定し、前記ピクセルグループを分析して前記個数が前記基準に合致するかどうかを確認するステップと、
前記個別画像区域の候補の場所を決定するステップと、
前記個別画像区域の候補の前記場所に基づいて前記個別画像区域を選択するステップと、
を含む、請求項１６に記載の方法。
【請求項２０】
前記画像を変更するステップをさらに含む請求項１６に記載の方法。
【請求項２１】
前記画像を変更する前記ステップは、前記個別画像区域の候補の個数に関する前記基準に合致するように前記画像を変更するステップを含む、請求項２０に記載の方法。
【請求項２２】
サーバにおいてメニューを規定する方法であって、
受信画像の自動画像分析によって、通信デバイスに表示する前記受信画像の個別画像区域を規定するステップと、
前記個別画像区域の少なくとも１つに関して選択されたとき前記デバイスの機能を制御するように構成されたデバイスメニュー機能を決定するステップと、
規定された個別画像区域及び関連するデバイスメニュー機能を含むデバイスメニューを通信ネットワークを介して前記通信デバイスへ送信するように決定するステップと、を含む方法。
【請求項２３】
前記画像を前記デバイスに供給するステップと、
前記デバイス内の少なくとも１つのコンピュータプログラムによって前記デバイスメニューを規定するステップと、をさらに含む請求項１６に記載の方法。
【請求項２４】
画像の自動画像分析によって、通信デバイスに表示する前記画像の個別画像区域を規定するステップと、
ユーザ入力に応じて、複数の前記個別画像区域それぞれのデバイスメニュー機能を決定するステップであって、前記複数の個別画像区域それぞれのデバイスメニュー機能は、選択されたとき前記通信デバイスの機能を制御するように構成される、ステップと、
をコンピュータに実行させるコンピュータプログラムを記憶させたコンピュータメモリ。
【請求項２５】
受信画像の自動画像分析によって、通信デバイスに表示する前記受信画像の個別画像区域を規定するステップと、
前記個別画像区域の少なくとも１つに関して選択されたとき前記デバイスの機能を制御するように構成されたデバイスメニュー機能を決定するステップと、
規定された個別画像区域及び関連するデバイスメニュー機能を有する前記受信画像を含むデバイスメニューを通信ネットワークを介して前記通信デバイスへ送信するように決定するステップと、
をコンピュータに実行させるコンピュータプログラムを記憶させたコンピュータメモリ。